(57)【要約】  予備同軸コネクタを差し込むための同軸コネクタ、特にＲＦケーブル  マイクロ−コネクタであって、同軸コネクタ内に予備同軸コネクタが差し込まれていない場合には、電気的な接触が閉成され、同軸コネクタ内に予備同軸コネクタが差し込まれている場合には、電気的な接触が中断されるように、同軸コネクタ内に電気的な接触を有する切替え機構（１４、１８、２０）が配置されかつ形成されている同軸コネクタにおいて、半径方向に弾性的にばね変位して拡幅可能および／または圧縮可能な円筒状の第１の導体部分（１４）を有し、その第１の導体部分が切替え機構の第２の導体部分（２０）と接触し、その場合に第１の導体部分（１４）が、同軸コネクタ内へ差し込まれた予備同軸コネクタが第１の導体部分（１４）を半径方向に拡幅し、あるいは半径方向に圧縮して、それによって第１の導体部分（１４）と第２の導体部分（２０）との間の電気的接触を中断するように、切替え機構が配置されかつ形成されている。【選択図】      図２
2008504655.tif 000002
【特許請求の範囲】
【請求項１】
予備同軸コネクタを差し込むための同軸コネクタ内に前記予備同軸コネクタが差し込まれていない場合には、電気的接触が閉成され、かつ前記同軸コネクタ内に前記予備同軸コネクタが差し込まれている場合には、電気的接触が中断されるように、内部に電気的な接触を有する切替え機構（１４、１８、２０）が、配置されかつ形成されている前記同軸コネクタ、特にＲＦケーブル  マイクロ−コネクタにおいて、
前記切替え機構は、半径方向に弾性的にばね変位して拡幅可能および／または圧縮可能な円筒状の第１の導体部分（１４）を有し、前記第１の導体部分が前記切替え機構の第２の導体部分（２０）と接触し、前記第１の導体部分（１４）が、前記同軸コネクタ内へ差し込まれた前記予備同軸コネクタが前記第１の導体部分（１４）を半径方向に拡幅し、あるいは半径方向に圧縮し、それによって前記第１の導体部分（１４）と前記第２の導体部分（２０）との間の電気的接触を中断するように、配置されかつ形成されている
ことを特徴とする同軸コネクタ。
【請求項２】
前記第１の導体部分（１４）は、前記同軸コネクタ内に同軸に配置されていることを特徴とする請求項１に記載の同軸コネクタ。
【請求項３】
前記同軸コネクタ内に前記予備同軸コネクタが差し込まれていない場合には、接触舌片（１８）が前記切替え機構の第２の導体部分（２０）と電気的に接触し、かつ前記同軸コネクタ内に前記予備同軸コネクタが差し込まれている場合には、前記第１と第２の導体部分（１４、２０）との間の電気的接触が、前記予備同軸コネクタによる前記第１の導体部分（１４）の半径方向の拡幅ないし圧縮に基づいて中断されるように、前記第１の導体部分（１４）に接触舌片（１８）が配置されかつ形成されていることを特徴とする請求項１または２に記載の同軸コネクタ。
【請求項４】
前記第１の導体部分（１４）は、巻回されたばね薄板であることを特徴とする前記請求項の少なくとも１項に記載の同軸コネクタ。
【請求項５】
前記同軸コネクタは、前記第１の導体部分（１４）をその弾性的なばね力に抗して巻回された状態に保持するように形成されているので、前記同軸コネクタ内に予備同軸コネクタが差し込まれていない場合には、前記第１の導体部分（１４）の接触舌片（１８）が前記第２の導体部分（２０）の接触面に接触することを特徴とする請求項３と４に記載の同軸コネクタ。
【請求項６】
前記第１の導体部分（１４）は、漏斗形状に形成されていることを特徴とする前記請求項の少なくとも１項に記載の同軸コネクタ。
【請求項７】
前記第１の導体部分（１４）は、軸方向にスリットを有していることを特徴とする前記請求項の少なくとも１項に記載の同軸コネクタ。
【請求項８】
前記第１の導体部分（１４）は、前記同軸コネクタの内部導体部分（１４）を形成することを特徴とする前記請求項の少なくとも１項に記載の同軸コネクタ。
【発明の詳細な説明】
【技術分野】
【０００１】
本発明は、請求項１の前文に記載された、予備同軸コネクタを差し込むための同軸コネクタ、特にＲＦケーブル  マイクロ−コネクタに関するものであって、同軸コネクタ内へ予備同軸コネクタが差し込まれていない場合には、電気的接触が閉成され、同軸コネクタ内へ予備同軸コネクタが差し込まれている場合には、電気的接触が中断されるように、電気的な接触を有する切替え機構が同軸コネクタ内に配置されかつ形成されている。
【背景技術】
【０００２】
スイッチないし切替え機構を備えた同軸コネクタは、たとえば、携帯電話内で携帯電話の内部のアンテナから、同軸ケーブルを用いて同軸コネクタに接続されている外部のアンテナへ自動的に切り替えるため、かつ逆に、外部のアンテナを接続する同軸ケーブルが同軸コネクタから抜き出された場合に、外部のアンテナから内部のアンテナへ戻すように切り替えるために用いられる。
【０００３】
ＤＥ６９８０５９９１Ｔ２からは、電気的に導通する同軸の中央導体を有し、後方部分から前方部分へ延びる同軸の差込み接続が知られている。装置内には、第２の同軸の中央導体も含まれている。第１の中央導体の後方部分は、電気的に導通する可動部分を有し、その可動部分が第１の位置と第２の位置との間で移動することができる。可動部分は、可動部分が第１の位置にある場合に、第２の中央導体と電気的に接触して配置されて、第１の中央導体の前方部分から電気的に分離されている。
可動部分は、第２の位置にある場合には、前方部分と電気的に接触して配置されて、第２の中央導体から電気的に分離される。同軸ケーブルが第１の中央導体の前方部分に取り付けられた場合に、アクチュエータが可動部分を第１の位置から第２の位置へ移動させる。
【０００４】
ＥＰ０９９３０８０Ａ２からは、スイッチを搭載した同軸コネクタが知られている。同軸コネクタの絶縁するハウジングは、２つの半体に分割されており、１対の切替え素子を有し、それらのそれぞれ一方が絶縁するハウジングの半体の１つの内部に配置されている。絶縁するハウジングの２つの半体を１つのボディにまとめた場合に、２つの切替え素子が互いに接触する。切替え素子は、半分のフォーク状ばねとして同軸コネクタ内に垂直に配置されており、その場合にフォークは、同軸コネクタへ差し込まれたプラグの内部導体によって互いに離れるように押され、それによって切替え素子の間の電気的接触が分離される。しかし、この切替え配置は、必要なばね距離を達成するために、極めて長く組み立てられるという欠点を有している。
【０００５】
ＤＥ６９７０５１２９Ｔ２からは、同軸の切替え接続配置が知られており、その中へ同軸の相手側プラグが差込み可能であって、かつその切替え接続配置においては切替え接点が同軸の長手軸に対して垂直に配置されており、その場合に接点の一方が、切替え接続配置へ差し込まれた相手側プラグのピン形状の内部導体によって弾性的に撓んで変位され、それによって電気的な接点が開放される。しかし、この配置は、差込みプロセスの際にばねが損傷されないようにするために、相手側プラグのピン状の内部導体の位置と切替えばねとが互いに対して極めて精確に定められなければならないという欠点を有している。それによって、このシステムは、高価であり、かつ製造と組立てに関して煩雑である。
【発明の開示】
【発明が解決しようとする課題】
【０００６】
本発明の課題は、上述した種類の同軸コネクタを構造と組立てに関して改良することである。
【課題を解決するための手段】
【０００７】
この課題は、本発明によれば、請求項１に記載の特徴を有する、上述した種類の同軸コネクタによって解決される。本発明の好ましい形態が、他の請求項に記載されている。
上述した種類の同軸コネクタにおいて、本発明によれば、切替え機構が、半径方向に弾性的に変位して拡幅可能および／または圧縮可能な円筒状の第１の導体部分を有し、その第１の導体部分が切替え機構の第２の導体部分に電気的に接触し、その場合に第１の導体が、同軸コネクタ内へ差し込まれた予備同軸コネクタが第１の導体部分を半径方向に拡幅または半径方向に圧縮し、それによって第１の導体部分と第２の導体部分との間の電気的接触を中断するように、切替え機構が同軸コネクタ内に配置されかつ形成されている。
これは、切替え機構が極めて小さい組込み空間需要を有し、簡単かつ安価に形成可能かつ組立て可能である、という利点を有している。
同軸コネクタ内へ差し込む場合に予備同軸コネクタを効果的に同軸に案内することは、第１の導体部分が同軸コネクタ内に同軸に配置されていることによって達成される。
【０００８】
好ましい実施形態において、同軸コネクタ内に予備同軸コネクタが差し込まれていない場合には、接触舌片が切替え機構の第２の導体部分に接触し、かつ同軸コネクタ内へ予備同軸コネクタが差し込まれている場合には、第１と第２の導体部分間の電気的接触が、予備同軸コネクタにより第１の導体部分が半径方向に拡幅され、ないしは圧縮されることによって中断されるように、第１の導体部分に接触舌片が配置されかつ形成されている。
【０００９】
本発明の好ましい改良点においては、第１の導体部分は巻回されたばね薄板であって、その場合に同軸コネクタは、第１の導体部分をその弾性的なばね力に抗して巻回された状態に保持するように形成されているので、同軸コネクタ内へ予備同軸コネクタが挿入されていない場合には、第１の導体部分の接触舌片が第２の導体部分の接触面に接触する。
【００１０】
差込み力の軽減は、第１の導体部分が漏斗形状に形成されていることによって得られる。
第１の導体部分は、軸方向にスリットを有している。
【発明を実施するための最良の形態】
【００１１】
以下、図面を用いて本発明を詳細に説明する。
図１から図６に示す、本発明に基づく同軸コネクタの好ましい実施形態は、外部導体１０と、誘電体の形式の絶縁部分１２と、内部導体１４とを有している。内部導体１４は、ばね薄板として形成されており、そのばね薄板が復帰するばね作用に抗して絶縁部分１２内に巻回されて保持されている。換言すると、内部導体１４はスリットを有する円筒状のばね薄板として形成されており、そのばね薄板が同軸コネクタ内に同軸に配置されている。内部導体１４は、さらに、特に図５から明らかなように、漏斗形状に、ないしは同軸コネクタの差込み側１６から円錐状に細くなるように形成されている。
【００１２】
巻回された内部導体１４は、接触舌片１８（図２）を有する切替え機構の第１の導体部材を形成し、その接触舌片は内部導体１４において、ばね薄板１４の同軸コネクタの差込み側１６とは逆の側に配置されている。円錐状に細くなる内部導体１４は、この箇所において最小の直径を有している。接触舌片１８が、切替え機構の第２の導体部分２０（図６）と電気的に接触する。第２の導体部分２０は、同軸コネクタの差込み側１６とは逆の側において側方に配置されている。
【００１３】
図１から図６に示す状態において、以下においては単に「予備プラグ」とも称される予備同軸コネクタは、本発明に基づく同軸コネクタには差し込まれていない。切替え機構の内部導体部分ないし第１の導体部材１４、１８の配置と形成は、この状態において接触舌片１８が第２の導体部分と電気的に接触するようになっている。そのために、絶縁部分１２からばね薄板１４へ作用する、ばね薄板１４を巻回された状態に保持するための力が、接触舌片１８と第２の導体部分２０との間の電気的接触のための接触力として用いられる。付加的に、接触舌片１８と切替え機構の第２の導体部分２０とに、接触舌片１８と切替え機構の第２の導体部分２０との間の電気的接触の接触面として用いられる対応する面が設けられている。
【００１４】
接触舌片１８と切替え機構の第２の導体部分２０との間のこの電気的接触は、たとえば、同軸コネクタ内に予備プラグが差し込まれていない場合には、たとえば携帯電話のような、本発明に基づく同軸コネクタを有する機器の内部アンテナを接続するために用いられる。しかし、予備プラグが同軸コネクタ内へ差し込まれるとすぐに、予備プラグの円筒状の内部導体１４内へ嵌入する内部導体が、この円筒状の内部導体を半径方向に拡幅し、その場合に、それによって接触舌片１８が切替え機構の第２の導体部材２０から機械的に離れるように移動される。それが、接触舌片１８と切替え機構の第２の導体２０との間の電気的接触の中断をもたらすので、たとえば、同軸ケーブルを介して予備プラグに接続されたアンテナが機器と接続される。予備プラグが再び本発明に基づく同軸コネクタから引き抜かれるとすぐに、接触舌片１８が内部導体部分ないしばね薄板１４の弾性的なばね力に基づいて予備コネクタが差し込まれていない元の状態へ戻るように移動し、再び切替え機構の第２の導体部分２０との電気的接触を形成する。
【００１５】
内部導体部分１４の円錐状の形成によって、差込み力が減少される。切替え機構の組込み空間需要は、第１の導体部材１４、１８がスリットを有する円筒状の半径方向に弾性的にばね変位する部品として形成されていることに基づいて減少される。内部導体部分１４は、たとえば、本発明に基づく同軸コネクタが電気的に接触してその上に取り付けられている導体プレートの直前まで、予備同軸コネクタの内部導体ピンの同軸の案内を保証する。本発明に基づく切替え機構の構造は、予備プラグの差込み深さに関して敏感ではないので、本発明に基づく同軸コネクタの個別部品を形成する際により小さい許容誤差しか必要とされない。これが、コストを削減し、かつ組立てを容易にする。
【図面の簡単な説明】
【００１６】
【図１】本発明に基づく同軸コネクタの好ましい実施形態を示す斜視図である。
【図２】図１に示す同軸コネクタを一部切断して示す斜視図である。
【図３】図１に示す同軸コネクタを差込み側から見た上面図である。
【図４】図１に示す同軸コネクタを導体プレート側から見た底面図である。
【図５】図１に示す同軸コネクタを、図４のＢ−Ｂ線に沿って示す断面図である。
【図６】図１に示す同軸コネクタを、図５のＣ−Ｃ線に沿って示す断面図である。
【図１】
2008504655.tif 000003
【図２】
2008504655.tif 000004
【図３】
2008504655.tif 000005
【図４】
2008504655.tif 000006
【図５】
2008504655.tif 000007
【図６】
2008504655.tif 000008
【手続補正書】
【提出日】平成18年1月4日(2006.1.4)
【手続補正１】
【補正対象書類名】特許請求の範囲
【補正対象項目名】全文
【補正方法】変更
【補正の内容】
【特許請求の範囲】
【請求項１】
予備同軸コネクタを差し込むための同軸コネクタ内に前記予備同軸コネクタが差し込まれていない場合には、電気的接触が閉成され、かつ前記同軸コネクタ内に前記予備同軸コネクタが差し込まれている場合には、電気的接触が中断されるように、電気的な接触を有する切替え機構（１４、１８、２０）が配置されかつ形成され、前記切替え機構が、半径方向に弾性的にばね変位して拡幅可能および／または圧縮可能な円筒状の第１の導体部分（１４）を有し、前記第１の導体部分が切替え機構の第２の導体部分（２０）と接触し、前記同軸コネクタ内へ差し込まれた前記予備同軸コネクタが前記第１の導体部分（１４）を半径方向に拡幅し、あるいは半径方向に圧縮し、それによって前記第１の導体部分（１４）と前記第２の導体部分（２０）との間の電気的接触を中断するように、前記第１の導体部分（１４）が配置されかつ形成され、前記同軸コネクタ内に前記予備同軸コネクタが差し込まれていない場合には、接触舌片（１８）が前記切替え機構の第２の導体部分（２０）と電気的に接触し、かつ前記同軸コネクタ内に前記予備同軸コネクタが差し込まれている場合には、前記第１と第２の導体部分（１４、２０）の間の電気的接触が、前記予備同軸コネクタによる前記第１の導体部分（１４）の半径方向の拡幅ないし圧縮に基づいて中断されるように、前記第１の導体部分（１４）に接触舌片（１８）が配置されかつ形成されている前記同軸コネクタ、特にＲＦケーブル  マイクロ−コネクタにおいて、
前記第１の導体部分（１４）は、前記同軸コネクタ内に同軸に配置され、
前記第１の導体部分（１４）は、巻回されたばね薄板であり、
前記同軸コネクタは、前記第１の導体部分（１４）をその弾性的なばね力に抗して巻回された状態に保持するように形成されているので、前記同軸コネクタ内に前記予備同軸コネクタが差し込まれていない場合には、前記第１の導体部分（１４）の接触舌片（１８）が前記第２の導体（２０）の接触面に接触し、かつ、
前記第１の導体部分（１４）は、漏斗形状に形成されている
ことを特徴とする同軸コネクタ。
【請求項２】
前記第１の導体部分（１４）は、軸方向にスリットを有していることを特徴とする請求項１に記載の同軸コネクタ。
【請求項３】
前記第１の導体部分（１４）は、前記同軸コネクタの内部導体（１４）を形成していることを特徴とする前記請求項の少なくとも１項に記載の同軸コネクタ。
【国際調査報告】
2008504655.tif 000009
2008504655.tif 000010
2008504655.tif 000011
2008504655.tif 000012